(57)【特許請求の範囲】
【請求項１】
浴室を加熱及び加湿して、前記浴室内に存在する使用者の発汗を促すサウナ装置であって、
水を加圧する加圧手段と、
前記加圧手段にて加圧された水を加熱して水蒸気を生成する水蒸気生成手段と、
前記水蒸気生成手段にて生成された水蒸気を水と混合させて生成するミストを前記浴室内に噴出させるノズル手段とが設けられており、
前記ノズル手段にて噴出される前記ミストの粒径の大小を設定するミスト粒径設定手段が設けられており、
前記ノズル手段にて水蒸気を水と混合させて生成する前記ミストの粒径を変更すべく、水に混合させる水蒸気の圧力を調整する水蒸気圧力調整手段、水に混合させる水蒸気量を調整する水蒸気量調整手段、及び、水蒸気に混合させる水量を調整する水量調整手段の少なくとも１つが設けられており、
前記ミスト粒径設定手段で設定された前記ミストの粒径に基づいて、前記水蒸気圧力調整手段により水に混合させる水蒸気の圧力、前記水蒸気量調整手段により水に混合させる水蒸気量、又は、前記水量調整手段により水蒸気に混合させる水量、の少なくとも１つを調整することにより、前記ミストの粒径を変更するサウナ装置。
【請求項２】
前記ノズル手段にて水蒸気を水と混合させずに前記浴室内に噴出させる水蒸気噴出状態と、前記ノズル手段にて水蒸気を水と混合させてミストを前記浴室内に噴出させるミスト噴出状態とに切換自在な噴出状態切換手段が設けられている請求項１に記載のサウナ装置。
【請求項３】
前記ノズル手段が、水噴出部から噴出させた水に向けて前記水噴出部の周囲に設けられた水蒸気噴出部から水蒸気を噴出させるように構成されている請求項１又は２記載のサウナ装置。
【請求項４】
前記水蒸気生成手段が、バーナの燃焼ガスが流動する燃焼空間に配置されて水を加熱して水蒸気を発生させる蒸気発生部、その蒸気発生部にて発生された水蒸気を液分から分離する気水分離部、及び、前記燃焼空間において前記蒸気発生部よりも燃焼ガスの流動方向の下流側に配置されて前記気水分離部にて分離された水蒸気を過熱して前記ノズル手段に供給する過熱部を備えたボイラにて構成されている請求項１〜３のいずれか一項に記載のサウナ装置。
【発明の詳細な説明】
【技術分野】
【０００１】
本発明は、浴室を加熱及び加湿して、前記浴室内に存在する使用者の発汗を促すサウナ装置に関する。
【背景技術】
【０００２】
上記のようなサウナ装置は、家庭などの浴室を加熱及び加湿することにより浴室内に存在する使用者に発汗を促し、その発汗によって新陳代謝を高めて汗と一緒に老廃物を排出する効能を発揮させて、美容と健康の増進を図るものである。
【０００３】
従来のサウナ装置では、給湯暖房機との間で温水を循環させて浴室内から取り込んだ空気を加熱する熱交換器と、その熱交換器にて加熱した空気を温風として浴室内に噴出させる温風噴出手段と、給湯暖房機から供給される湯水をミストとして浴室内に噴出させるミスト噴出手段とが設けられている（例えば、特許文献１参照。）。
そして、快適性の向上のためなどに、浴室内に噴出させるミストの微細化が求められている。そこで、別の従来のサウナ装置として、浴室内から取り込んだ空気を加熱する熱交換器にミストを噴霧する噴霧ノズルを設け、熱交換器にミストを吹き付けてミストの微細化を図り、そのミストと温風とを浴室内に噴出しているものがある（例えば、特許文献２参照。）。
【０００４】
【特許文献１】特開２００１−２７６１７０号公報
【特許文献２】特開平８−１０３４８０号公報
【発明の開示】
【発明が解決しようとする課題】
【０００５】
上記特許文献１に記載のサウナ装置では、浴室内に噴出される温風に加えて、浴室内に噴出されるミストにて浴室内の温度を上昇させることになる。したがって、ミストにて浴室内の温度を上昇させるためには、多量の水及びエネルギーを要することになり、浴室を効率よく加熱できない虞がある。また、単に、ミスト噴出手段にて浴室内にミストを噴出するだけであるので、ミストの微細化を図ることが難しいものであった。
上記特許文献２に記載のサウナ装置では、熱交換器にミストを吹き付けることにより浴室内に噴出させるミストの微細化を図ることができる。しかしながら、熱交換器に吹き付けられたミストの一部は、浴室内に噴出される前に凝縮して水となってしまい、浴室を効率よく加熱及び加湿できない虞がある。
【０００６】
本発明は、かかる点に着目してなされたものであり、その目的は、浴室内に噴出させるミストの微細化を図りながら、浴室を効率よく加熱及び加湿できるサウナ装置を提供する点にある。
【課題を解決するための手段】
【０００７】
この目的を達成するために、本発明にかかるサウナ装置の第１特徴構成は、浴室を加熱及び加湿して、前記浴室内に存在する使用者の発汗を促すサウナ装置において、
水を加圧する加圧手段と、前記加圧手段にて加圧された水を加熱して水蒸気を生成する水蒸気生成手段と、前記水蒸気生成手段にて生成された水蒸気を水と混合させて生成するミストを前記浴室内に噴出させるノズル手段とが設けられており、前記ノズル手段にて噴出される前記ミストの粒径の大小を設定するミスト粒径設定手段が設けられており、前記ノズル手段にて水蒸気を水と混合させて生成する前記ミストの粒径を変更すべく、水に混合させる水蒸気の圧力を調整する水蒸気圧力調整手段、水に混合させる水蒸気量を調整する水蒸気量調整手段、及び、水蒸気に混合させる水量を調整する水量調整手段の少なくとも１つが設けられており、前記ミスト粒径設定手段で設定された前記ミストの粒径に基づいて、前記水蒸気圧力調整手段により水に混合させる水蒸気の圧力、前記水蒸気量調整手段により水に混合させる水蒸気量、又は、前記水量調整手段により水蒸気に混合させる水量、の少なくとも１つを調整することにより、前記ミストの粒径を変更する点にある。
【０００８】
前記水蒸気生成手段にて生成された水蒸気は、ノズル手段により水と混合されてミストを生成して浴室内に噴出される。したがって、水蒸気を用いて生成したミストにて浴室内を加熱及び加湿することができ、浴室を効率よく加熱及び加湿できる。
前記ノズル手段では、水に水蒸気を衝突させることにより水を粉砕して良好に分散したミストを生成することができ、その生成したミストをそのまま浴室内に噴出させることができる。したがって、その熱容量が大きいためその熱を有効に利用し、ミストの凝縮を抑制しながら、ミストを浴室内に噴出させることができる。また、水に衝突させる水蒸気は、加圧手段にて加圧された水から生成した比較的高圧の水蒸気であるので、水を粉砕するときの粉砕力を大きくでき、ミストの微細化を図ることができる。
以上のことから、浴室内に噴出させるミストの微細化を図りながら、浴室を効率よく加熱及び加湿できるサウナ装置を提供できるに至った。
すなわち、ノズル手段にて噴出されるミストの粒径の大小を設定自在なミスト粒径設定手段が備えられており、前記水蒸気圧力調整手段が水蒸気の圧力を大きくすると、水蒸気にて水を粉砕するときの粉砕力が大きくなり、ミストの粒径を小さくでき、逆に、水蒸気圧力調整手段が水蒸気の圧力を小さくすると、水蒸気にて水を粉砕するときの粉砕力が小さくなり、ミストの粒径を大きくできる。
前記水蒸気量調整手段が水に混合させる水蒸気量を減少させると、水蒸気にて水を粉砕し難くなり、ミストの粒径を大きくでき、逆に、水蒸気量調整手段が水に混合させる水蒸気量を増加させると、水蒸気にて水を粉砕し易くなり、ミストの粒径を小さくできる。
前記水量調整手段が水蒸気に混合させる水量を減少させると、水蒸気にて水を粉砕し易くなり、ミストの粒径を小さくでき、逆に、水量調整手段が水蒸気に混合させる水量を増加させると、水蒸気にて水を粉砕し難くなり、ミストの粒径を大きくできる。
このように、水蒸気圧力調整手段、水蒸気量調整手段、及び、水量調整手段の少なくとも１つを設けることにより、ミストの粒径を変更することができる。したがって、水蒸気圧力調整手段、水蒸気量調整手段、及び、水量調整手段の少なくとも１つによって、使用者の好みのミストの粒径に変更することができ、使用者の快適性を向上できる。
【０００９】
本発明にかかるサウナ装置の第２特徴構成は、前記ノズル手段にて水蒸気を水と混合させずに前記浴室内に噴出させる水蒸気噴出状態と、前記ノズル手段にて水蒸気を水と混合させてミストを前記浴室内に噴出させるミスト噴出状態とに切換自在な噴出状態切換手段が設けられている点にある。
【００１０】
前記噴出状態切換手段がミスト噴出状態に切り換えると、水蒸気と水とを混合して生成したミストにて浴室を加熱及び加湿できる。前記噴出状態切換手段が水蒸気噴出状態に切り換えると、水蒸気にて浴室を加熱及び加湿できる。したがって、浴室内に存在する使用者の好みに応じて、噴出状態切換手段をミスト噴出状態と水蒸気噴出状態とに切り換えることによって、使用者の好みに応じた状態で浴室の加熱及び加湿を行え、使用者の快適性を向上できる。
【００１３】
本発明にかかるサウナ装置の第３特徴構成は、前記ノズル手段が、水噴出部から噴出させた水に向けて前記水噴出部の周囲に設けられた水蒸気噴出部から水蒸気を噴出させるように構成されている点にある。
【００１４】
前記水噴出部から噴出する水は、その周囲にわたって設けられた水蒸気噴出部から噴出される水蒸気が吹き付けられることで良好に粉砕されてミストとなる。したがって、水噴出部から噴出する水の周囲から水蒸気が的確に衝突することになり、ミストを効率よく生成することができる。
【００１５】
本発明にかかるサウナ装置の第４特徴構成は、前記水蒸気生成手段が、バーナの燃焼ガスが流動する燃焼空間に配置されて水を加熱して水蒸気を発生させる蒸気発生部、その蒸気発生部にて発生された水蒸気を液分から分離する気水分離部、及び、前記燃焼空間において前記蒸気発生部よりも燃焼ガスの流動方向の下流側に配置されて前記気水分離部にて分離された水蒸気を過熱して前記ノズル手段に供給する過熱部を備えたボイラにて構成されている点にある。
【００１６】
前記蒸気発生部にて発生した水蒸気は、気水分離部にて液分から分離されるので、飽和水などの水分を除去できる。そして、気水分離部にて分離された水蒸気を過熱部にて過熱するので、飽和水などの水分を含まない過熱水蒸気を生成できる。この比較的高温の過熱水蒸気をノズル手段に供給すれば、水にこの過熱水蒸気を衝突させて、一層効率よく微細なミストを生成することができる。
そして、このような過熱水蒸気を生成するために、蒸気発生部、気水分離部、及び、過熱部を備えたボイラを設けるだけでよく、構成の簡素化を図ることができる。
【発明を実施するための最良の形態】
【００１７】
本発明にかかるサウナ装置の実施形態を図面に基づいて説明する。
〔第１実施形態〕
このサウナ装置１は、図１に示すように、水（水道水）を加圧する加圧手段としての加圧ポンプ２と、その加圧ポンプ２にて加圧された水Ｗを加熱して水蒸気ＳＨを生成する水蒸気生成手段３と、水蒸気生成手段３にて生成された水蒸気ＳＨを水Ｗと混合させて生成するミストＭを浴室４内に噴出させるノズル手段５とを備えて構成されている。
そして、サウナ装置１は、ノズル手段５にて浴室４内にミストＭを噴出することにより、浴室４を加熱及び加湿して、浴室４内に存在する使用者６の発汗を促す。
ちなみに、水蒸気ＳＨを点線矢印にて示し、水Ｗを実線矢印にて示している。
【００１８】
前記浴室４には、浴槽７と洗い場８とが設けられている。そして、水蒸気生成手段３は、浴室４の外側壁部に配設され、ノズル手段５は、洗い場８の前方に相当する浴室４の内側壁部に配設されている。例えば、ノズル手段５は、浴室４の高さの１／２程度下方であって洗い場８のカウンタの袖部に配設されている。
【００１９】
図２に示すように、水道水を供給する給水路９に分岐接続されて加圧ポンプ２及び水蒸気生成手段３に水Ｗを供給する第１給水路１０と、給水路９に分岐接続されてノズル手段５に水Ｗを供給する第２給水路１１とが設けられている。
そして、加圧ポンプ２は、第１給水路１０にて供給される水Ｗを設定圧力（例えば、０．３〔ＭＰａ〕）に加圧するように構成されている。また、第２給水路１１は、水道圧によって水Ｗをノズル手段５に供給するように構成されている。
【００２０】
前記水蒸気生成手段３は、バーナ１２の燃焼ガスＧが流動する燃焼空間１３に配置されて第１給水路１０にて供給される水Ｗを加熱して水蒸気を発生させる蒸気発生部１４、その蒸気発生部１４にて発生された水蒸気を液分から分離する気水分離部１５、及び、燃焼空間１３において蒸気発生部１４よりも燃焼ガスＧの流動方向の下流側に配置されて気水分離部１５にて分離された水蒸気を過熱してノズル手段５に供給する過熱部１６を備えたボイラ１７にて構成されている。このように、水蒸気生成手段３であるボイラ１７は、水蒸気としての過熱水蒸気ＳＨを生成してノズル手段５に供給するように構成されている。
ちなみに、蒸気発生部１４は、水Ｗと燃焼ガスＧとの熱交換により水蒸気を発生させる熱交換器にて構成されている。また、過熱部１６は、水蒸気と燃焼ガスＧとの熱交換により水蒸気（過熱水蒸気）ＳＨを発生させる熱交換器にて構成されている。
【００２１】
前記ノズル手段５は、水蒸気生成手段３であるボイラ１７にて生成された水蒸気（過熱水蒸気）ＳＨと第２給水路１１にて供給される水Ｗとを混合させてミストＭを生成し、その生成したミストＭを噴出する２流体ノズルにて構成されている。そして、ノズル手段５は、円形状の水噴出部１８から噴出させた水Ｗに向けて水噴出部１８の周囲に設けられたリング状の水蒸気噴出部１９から水蒸気（過熱水蒸気）ＳＨを噴出させるように構成されている。
前記ノズル手段５は、水噴出部１８から噴出される水Ｗに向けて水蒸気噴出部１９から水蒸気（過熱水蒸気）ＳＨを噴出させることにより水Ｗを粉砕してミストＭを生成して、その生成したミストＭを噴出する。そして、水道圧などにより水噴出部１８から水Ｗを噴出させ、その水Ｗの全周囲から水蒸気（過熱水蒸気）ＳＨを噴出させて、ミストＭを効率よく生成することができる。ちなみに、水噴出部１８から噴出する水Ｗに向けて噴出させる水蒸気（過熱水蒸気）ＳＨは、水噴出部１８の全周囲に限らず、水噴出部１８の周囲の一部から水蒸気噴出部１９にて水蒸気（過熱水蒸気）ＳＨを噴出させるようにしてもよい。
【００２２】
前記第１給水路１０にて供給される水Ｗは、加圧ポンプ２にて加圧された後、水蒸気生成手段３であるボイラ１７にて水蒸気（過熱水蒸気）ＳＨに生成される。そして、ノズル手段５が、第２給水路１１にて供給される水Ｗにボイラ１７にて生成された水蒸気（過熱水蒸気）ＳＨを衝突させて水蒸気（過熱水蒸気）ＳＨにて水Ｗを粉砕してミストＭを生成し、そのミストＭを浴室４内に噴出させる。このようにして、水蒸気（過熱水蒸気）ＳＨを用いて生成したミストＭにて浴室４を効率よく加熱及び加湿することができる。また、水蒸気（過熱水蒸気）ＳＨは加圧ポンプ２にて加圧された比較的高圧の水蒸気（過熱水蒸気）であるので、水Ｗを粉砕するときの粉砕力を大きくでき、ミストＭの微細化を図ることができる。
【００２３】
例えば、水蒸気（過熱水蒸気）ＳＨの圧力を０．３〔ＭＰａ〕、水蒸気（過熱水蒸気）ＳＨの噴出量を８０〔ｇ／ｍｉｎ〕、水Ｗの噴出量を１００〔ｃｃ／ｍｉｎ〕として、ノズル手段５にて水蒸気（過熱水蒸気）ＳＨと水Ｗとを混合する。すると、粒径が５０〜８０〔μｍ〕（推定値）のミストＭを浴室４内に噴出させることができる。
【００２４】
前記第２給水路１１には、その上流側から、水Ｗの供給を断続自在な断続弁２０、水量を調整自在な水量調整弁２１が設けられている。
そして、サウナ装置１の運転などの各種の指令を行うリモコン２２が、浴室４の内側壁部に設けられている。また、サウナ装置１の運転を制御する制御装置２３が、リモコン２２による各種の指令に基づいて、断続弁２０の作動、水量調整弁２１の作動、加圧ポンプ２の作動、及び、水蒸気生成手段３であるボイラ１７の作動を制御するように構成されている。ちなみに、制御装置２３は、水蒸気供給路２９にて一定量の水蒸気（過熱水蒸気）ＳＨを供給すべく、水Ｗを設定圧力（例えば、０．３〔ＭＰａ〕）に加圧する状態で加圧ポンプ２を作動開始及び作動停止させる。また、制御装置２３は、水蒸気供給路２９にて一定量で且つ一定圧力の水蒸気（過熱水蒸気）ＳＨを供給すべく、バーナ１２の加熱量を調整する状態でボイラ１７の作動を制御するように構成されている。
【００２５】
前記リモコン２２には、ノズル手段５にて水蒸気（過熱水蒸気）ＳＨを水Ｗと混合させずに噴出させる水蒸気噴出状態とノズル手段５にて水蒸気（過熱水蒸気）ＳＨを水Ｗと混合させてミストＭを噴出させるミスト噴出状態とを指令自在な噴出状態指令部２４、及び、ノズル手段５にて噴出されるミストＭの粒径の大小を指令自在なミスト粒径指令部２５が備えられている。
ちなみに、噴出状態指令部２４は、例えば、ＯＮ／ＯＦＦ操作式のスイッチとし、ＯＮ状態であるとミスト噴出状態を指令し且つＯＦＦ状態であると水蒸気噴出状態を指令するように構成できる。また、ミスト粒径指令部２５は、例えば、ミストＭの粒径を大きくする粒径大用スイッチとミストの粒径を小さくする粒径小用スイッチの２つのスイッチとし、粒径大用スイッチを押すたびにミストＭの粒径を大きくするように指令し且つ粒径小用スイッチを押すたびにミストＭの粒径を小さくするように指令するように構成できる。
また、リモコン２２には、図示を省略するが、サウナ装置１の運転開始及び運転停止を指令する運転指令部、及び、各種の情報を表示する表示部なども備えられている。
【００２６】
前記制御装置２３は、噴出状態指令部２４にて水蒸気噴出状態が指令されると、断続弁２０を閉状態としてノズル手段５に対する水の供給を停止して、ノズル手段５にて水蒸気（過熱水蒸気）ＳＨを水Ｗと混合させずに浴室４内に噴出させる水蒸気噴出状態とする。
また、制御装置２３は、噴出状態指令部２４にてミスト噴出状態が指令されると、断続弁２０を開弁状態としてノズル手段５に水を供給して、ノズル手段５にて水蒸気（過熱水蒸気）ＳＨを水Ｗと混合させてミストＭを浴室４内に噴出させるミスト噴出状態とする。
このように、水蒸気噴出状態とミスト噴出状態とに切換自在な噴出状態切換手段２６が、制御装置２３及び断続弁２０にて構成されている。
【００２７】
ちなみに、ミスト噴出状態としたときには、浴室４内に噴出させるミストＭを初期運転状態とする。そして、この初期運転状態は、例えば、水蒸気（過熱水蒸気）ＳＨの圧力を０．３〔ＭＰａ〕、水蒸気（過熱水蒸気）ＳＨの噴出量を８０〔ｇ／ｍｉｎ〕、水Ｗの噴出量を１００〔ｃｃ／ｍｉｎ〕とする。
【００２８】
前記制御装置２３は、ミスト粒径指令部２５にてミストＭの粒径を大きくするように指令されると、水量調整弁２１の開度を設定開度分拡大させるように水量調整弁２１を作動させて、ノズル手段５にて噴出されるミストＭの粒径を設定径分大きくする。また、制御装置２３は、ミスト粒径指令部２５にてミストＭの粒径を小さくするように指令されると、水量調整弁２１の開度を設定開度分縮小させるように水量調整弁２１を作動させて、ノズル手段５にて噴出されるミストＭの粒径を設定径分小さくする。
【００２９】
説明すると、水量調整弁２１の開度を設定開度分拡大させると、ノズル手段５に供給される水量が増加して水蒸気（過熱水蒸気）ＳＨに混合させる水量を増加させることになり、ノズル手段５にて噴出されるミストＭの粒径を大きくできる。逆に、水量調整弁２１の開度を設定開度分縮小すると、ノズル手段５に供給される水量が減少して水蒸気（過熱水蒸気）ＳＨに混合させる水量を減少させることになり、ノズル手段５にて噴出されるミストＭの粒径を小さくできる。
このように、ノズル手段５にて噴出されるミストＭの粒径を変更すべく、水蒸気（過熱水蒸気）ＳＨに混合させる水量を調整する水量調整手段２７が設けられている。そして、この水量調整手段２７が制御装置２３及び水量調整弁２１にて構成されている。
【００３０】
例えば、水蒸気（過熱水蒸気）ＳＨの圧力を０．３〔ＭＰａ〕、水蒸気（過熱水蒸気）ＳＨの噴出量を８０〔ｇ／ｍｉｎ〕、水Ｗの噴出量を１００〔ｃｃ／ｍｉｎ〕とした上述の初期運転状態から、水量調整弁２１の開度を拡大させて水Ｗの噴出量を１５０〔ｃｃ／ｍｉｎ〕とすると、５０〜８０〔μｍ〕よりも大きな粒径のミストＭをノズル手段５にて浴室４内に噴出させることができる。
また、上述の初期運転状態から、水量調整弁２１の開度を縮小させて水Ｗの噴出量を５０〔ｃｃ／ｍｉｎ〕とすると、５０〜８０〔μｍ〕よりも小さな粒径のミストＭをノズル手段５にて浴室４内に噴出させることができる。
ちなみに、水Ｗの噴出量を０〔ｃｃ／ｍｉｎ〕とすると、水蒸気ＳＨのみが噴出されることになり、室温や湿度によっても異なるが、０〜１０〔μｍ〕程度の粒径のミストが噴出されることになる。
【００３１】
そして、浴室４内に存在する使用者６は、リモコン２２の噴出状態指令部２４を操作することにより、水蒸気噴出状態とミスト噴出状態とのうち、いずれか好みの方を選択することができる。また、浴室４内に存在する使用者６は、リモコン２２のミスト粒径指令部２５を操作することにより、ミストＭの粒径を好みの粒径とすることができる。このように、噴出状態及びミスト粒径を使用者６の好みに応じて変更することができ、使用者６の快適性の向上を図ることができる。
【００３２】
〔第２実施形態〕
この第２実施形態は、上記第１実施形態の別実施形態であり、ノズル手段５にて噴出されるミストＭの粒径を変更するための構成についての別実施形態である。以下、ノズル手段５にて噴出されるミストＭの粒径を変更するための構成について説明する。その他の構成については上記第１実施形態と同様であるので説明は省略する。
【００３３】
前記ボイラ１７からノズル手段５に水蒸気（過熱水蒸気）ＳＨを供給する水蒸気供給路２９には、図２の点線で示すように、水蒸気量又は水蒸気圧を調整自在な水蒸気調整弁３０が設けられている。そして、制御装置２３は、水蒸気調整弁３０の作動を制御するように構成されている。
【００３４】
前記制御装置２３は、ミスト粒径指令部２５にてミストＭの粒径を大きくするように指令されると、ノズル手段５に供給する水蒸気量又は水蒸気圧を設定分減少させるように水蒸気調整弁３０を作動させて、ノズル手段５にて噴出されるミストＭの粒径を設定径分小さくする。また、制御装置２３は、ミスト粒径指令部２５にてミストＭの粒径を小さくするように指令されると、ノズル手段５に供給する水蒸気量又は水蒸気圧を設定分増大させるように水蒸気調整弁３０を作動させて、ノズル手段５にて噴出されるミストＭの粒径を設定径分大きくする。
【００３５】
説明すると、水蒸気調整弁３０の開度を調整することによりノズル手段５に供給する水蒸気量又は水蒸気圧を減少させると、水蒸気（過熱水蒸気）ＳＨにて水Ｗを粉砕し難くなり、ノズル手段５にて噴出されるミストＭの粒径を大きくできる。逆に、水蒸気調整弁３０の開度を調整することによりノズル手段５に供給する水蒸気量又は水蒸気圧を増大させると、水蒸気（過熱水蒸気）ＳＨにて水Ｗを粉砕し易くなり、ノズル手段５にて噴出されるミストＭの粒径を小さくできる。
【００３６】
このように、ノズル手段５にて噴出されるミストＭの粒径を変更すべく、水Ｗに混合させる水蒸気（過熱水蒸気）ＳＨの圧力又は水Ｗに混合させる水蒸気量を調整する水蒸気調整手段３１が設けられている。そして、この水蒸気調整手段３１は、水蒸気圧力調整手段又は水蒸気量調整手段であり、制御装置２３及び水蒸気調整弁３０にて構成されている。
【００３７】
この第２実施形態では、水蒸気（過熱水蒸気）ＳＨに混合させる水量を一定量としており、上記第１実施形態で述べた水量調整手段２７に代えて、ノズル手段５にて噴出されるミストＭの粒径を変更すべく、水蒸気調整手段３１を設けている。
このように、水蒸気（過熱水蒸気）ＳＨに混合させる水量を一定量とした状態で、ノズル手段５に供給する水蒸気量又はノズル手段５に供給する水蒸気（過熱水蒸気）ＳＨの圧力を変更させると、ノズル手段５に供給する水蒸気量又は水蒸気圧を増大させるほど、ミストＭの粒径を小さくできる。
【００３８】
〔別実施形態〕
（１）上記第１及び第２実施形態では、ノズル手段５にて噴出されるミストＭの粒径を変更する構成として、水量調整手段２７、及び、水蒸気調整手段３１のいずれか一方を設けた場合を例示したが、水量調整手段２７と水蒸気調整手段３１との両方を設けて実施することもできる。
この場合には、水量調整手段２７と水蒸気調整手段３１との両方の調整によってミストＭの粒径を変更することができる。また、水量調整手段２７と水蒸気調整手段３１とのいずれか一方のみの調整によってミストＭの粒径を変更することもできる。例えば、制御装置２３が、ミスト粒径指令部２５にて指令されるミストＭの粒径が水量調整用設定範囲内であると、水量調整手段２７による調整を行うことにより、ミストＭの粒径を変更する。そして、制御装置２３が、ミスト粒径指令部２５にて指令されるミストＭの粒径が水蒸気調整用設定範囲内であると、水蒸気調整手段３１による調整を行うことにより、ミストＭの粒径を変更する。また、水量調整手段２７と水蒸気調整手段３１とのどちらの調整を行うかを指令する切換指令部をリモコン２２に設けて、使用者６の操作により水量調整手段２７と水蒸気調整手段３１とのどちらの調整を行うかを切り換えることもできる。
【００３９】
（２）上記第２実施形態では、単一の水蒸気調整手段３１が水蒸気圧力調整手段又は水蒸気量調整手段となる例を示したが、水蒸気圧力調整手段と水蒸気量調整手段とを各別に設けて実施することもできる。
【００４０】
（３）上記実施形態では、ノズル手段５が、水噴出部１８の全周囲にわたって水蒸気噴出部１９を設けているが、どのような形態で水蒸気と水とを混合させてミストを生成するかは適宜変更が可能であり、各種の２流体ノズルなどを適応可能である。
【００４１】
（４）上記実施形態では、水蒸気生成手段３が、蒸気発生部１４、気水分離部１５、及び、過熱部１６を備えたボイラ１７にて構成しているが、水蒸気生成手段３をどのように構成するかについては適宜変更が可能である。
【００４２】
（５）上記実施形態では、第２給水路１１に断続弁２０と水量調整弁２１との２つの弁を設けているが、第２給水路１１を開閉自在で且つ水量を調整自在な弁を１つ設けて実施することもできる。
【図面の簡単な説明】
【００４３】
【図１】サウナ装置の設置状態を示す図
【図２】サウナ装置の概略構成図
【符号の説明】
【００４４】
２          加圧手段（加圧ポンプ）
３          水蒸気生成手段
４          浴室
５          ノズル手段
１２        バーナ
１３        燃焼空間
１４        蒸気発生部
１５        気水分離部
１６        過熱部
１７        ボイラ
１８        水噴出部
１９        水蒸気噴出部
２６        噴出状態切換手段
２７        水量調整手段
３１        水蒸気圧力調整手段又は水蒸気量調整手段（水蒸気調整手段）
【図１】
0004829686.tif 000002
【図２】
0004829686.tif 000003